(57)【要約】  本発明による着座機構は、保持体に設けられた支持部と、支持部を中心として略鉛直方向に遊動可能に設けられた座板と、支持部を挟んで設けられており且つ座板に鉛直方向の力が作用したときにその力に抗する力を座板に印加するように設けられた二つの制御部とを備える。また、本発明による椅子は、その着座機構が脚体に設置されたものである。【特許請求の範囲】
【請求項１】
保持体に設けられた支持部と、
前記支持部を中心として略鉛直方向に遊動可能に設けられた座板と、
前記支持部を挟んで設けられており、前記座板に鉛直方向の力が作用したときに該力に抗する力を該座板に印加する二つの制御部と、
を備える着座機構。
【請求項２】
前記二つの制御部は、着座方向において前記支持部よりも前方に配された第１の制御部と、着座方向において前記支持部よりも後方に配された第２の制御部と、から成る、
請求項１記載の着座機構。
【請求項３】
前記第１の制御部は、前記座板に鉛直上向きの抗力を印加するものであり、
前記第２の制御部は、前記座板に鉛直下向きの抗力を印加するものである、
請求項２記載の着座機構。
【請求項４】
前記第１の制御部は、前記座板を鉛直上向きに予め付勢するように設けられたものであり、
前記第２の制御部は、前記座板を鉛直下向きに予め付勢するように設けられたものである、
請求項２又は３に記載の着座機構。
【請求項５】
前記座板は、着座方向において前記支持部よりも前方に設けられた凸状部を有する、
請求項１〜４のいずれか一項に記載の着座機構。
【請求項６】
前記支持部は、前記座板の幅方向に亘って延在するように設けられたものである、
請求項１〜５のいずれか一項に記載の着座機構。
【請求項７】
前記着座方向において前記第２の制御部よりも縁端側の前記保持部上に突設された止定部を備える、
請求項２〜６のいずれか一項に記載の着座機構。
【請求項８】
前記二つの制御部は、弾性体、及び／又は、シリンダ装置である、
請求項１〜７のいずれか一項に記載の着座機構。
【請求項９】
前記支持部は、前記着座方向における位置が調節可能に設けられたものである、
請求項１〜８のいずれか一項に記載の着座機構。
【請求項１０】
請求項１〜９のいずれか一項に記載の着座機構と、  
前記着座機構が設置された脚体と、
を備える椅子。
【発明の詳細な説明】
【技術分野】
【０００１】
本発明は、着座機構及び椅子に関する。
【背景技術】
【０００２】
一般に、椅子は、安楽に腰掛けることを企図した構造を有するものが多い。例えば、背もたれを有する椅子では、着座者は、背もたれに背中を当てた姿勢で座る傾向にある。この場合、着座者は、後ろ重心の姿勢になりがちである。このような姿勢で、例えば机に向かうと、背部が曲げられ且つ腹部が圧迫される前屈みの状態となって前傾した頭部を首及び肩の筋肉で支えることとなるため、肩こりが起こり易い。【０００３】
また、自律神経の健全な働きは、交感神経と副交感神経の均衡がとれた働きによって維持されることが知られている。ところが、上記のような前屈みの姿勢で長時間のデスクワークを続けると、疲労が重なって身体的には副交感神経の働きを要求するにもかかわらず、デスクワークには交感神経の働きが要求されるため、交感神経を強制的に緊張させる必要が生じてしまう。その結果、交感神経の働きと副交感神経の働きとの不均衡が引き起こされ、ストレス（交感神経過緊張）を増長させる原因となる。【０００４】
このような不都合を解消すべく、本発明者は、特許文献１記載の着座具を提案した。この着座具は、椅子の底面に設置され、座板の下面に設けられた支点部材によって座板が回動自在に支持されると共に、その座板の片側自由端の下面に設けられた弾性部材によってその座板が支点部材を中心に上方向に弾性的に支持されて成るものである。この着座具を用いると、交感神経を上位支配とすべきデスクワーク時に、座板に腰掛けた着座者が弾性部材の弾性力に抗して座板の片側自由端を押圧する前重心の姿勢で腰掛けることができ、もって交感神経の正常な働きを促すことが可能となる。
【特許文献１】特開平11-244099号公報
【発明の開示】
【０００５】
ところで、近年では、他の種々なストレスや生活習慣の変化による身体機能の低下が目立ったり、それが要因の一つとなって身体に様々な歪みや種々の障害がますます生じ易くなってきており、自律神経の正常な活動を促進するのみならず、それらのより効果的且つ総合的な予防及び矯正方法を確立することが熱望されている。
【０００６】
その一方で、上記のような不都合を解消するために、旧来から、医薬を用いたり、手技を定期的に受ける等の治療方法が行われているが、手間、時間、及び費用が掛かってしまうことから、より簡便な予防及び矯正手段も求められている。
【０００７】
そこで、本発明は、かかる事情に鑑みてなされたものであり、身体に生じ得る様々な歪みや種々の障害を、従来よりも効果的且つ総合的にしかも簡便に予防及び矯正することが可能な着座機構及び椅子を提供することを目的とする。
【０００８】
上記課題を解決するために、本発明者は、鋭意研究を重ねたところ、単に前重心の姿勢で腰掛けた状態を維持するだけでなく、着座しつつも恰も起立するような姿勢を保持することにより、身体に備わる様々な筋に適度な緊張を持続させることができることを見出し、本発明を完成するに至った。
【０００９】
すなわち、本発明による着座機構は、保持体に設けられた支持部と、支持部を中心として略鉛直方向に遊動可能に設けられた座板と、支持部を挟んで設けられており且つ座板に鉛直方向の力が作用したときにその力に抗する力を座板に印加する、又は印加するように設けられた二つの制御部とを備える。
【００１０】
具体的には、二つの制御部は、着座方向において支持部よりも前方に配された第１の制御部と、着座方向において支持部よりも後方に配された第２の制御部と、から成ることが望ましい。
【００１１】
より具体的には、第１の制御部は、座板に略鉛直上向きの抗力を印加するものであり、第２の制御部は、座板に略鉛直下向きの抗力を印加するものであると有用である。換言すれば、第１の制御部は、圧縮に反発するような部材であり、第２の制御部は、牽引（引張り）に抵抗するような部材であれば、特に制限されない。
【００１２】
このように構成された着座機構においては、座板が保持体に設けられた支持部を中心にして遊動可能に設けられているので、てこの原理により、支持部が言わば‘支点’となってそれを境にして着座者の荷重バランスに応じて座板が傾動する。
【００１３】
すなわち、着座者の身長に応じて適度な高さレベルにこの着座機構を設置して腰掛けるとき、例えば、着座者の重心線が支持部のやや後方に垂下すれば、着座方向における後方側の部位が押し下げられるように座板が傾動し、安楽な着座体勢となる。一方、つま先（より厳密には、中足趾節（ＭＰ）関節）が床面に接するように重心を前にずらして着座すれば、座板は略水平状態とされ、さらに踵が床面につくように大腿骨を動かしてやや前重心の体勢をとると、膝関節が下がって座板の前方側が押し下げられる。これにより、座板が前傾し、着座者も前傾姿勢となる。
【００１４】
こうなると、座板の前方側の部位には、支持部よりも前方に位置する制御部（第１の制御部）から、鉛直下方の力（着座者の荷重）に対抗して鉛直上方の力が印加されると共に、同後方側の部位には、支持部よりも後方に位置する制御部（第２の制御部）から、鉛直上方へ引き上げる力に対抗して鉛直上方の力が印加される。これにより、座板が初期の姿勢状態（例えば略水平状態）に復帰するような力が座板全体に作用する。
【００１５】
そして、座板ひいては着座者の前傾姿勢を保持しようとすれば、座板を復帰させる第１及び第２の制御部から加えられる力に対抗すべく、脊柱の伸展を維持し、且つ、抗重力筋をはじめとする身体の多くの筋群を同時に且つ適度に緊張させ続けなければならない。よって、着座者が、そのような前傾姿勢を保持するように本発明の着座機構に座するだけで、脊柱が前屈みになったり腰掛けた姿勢が崩れたりせず、しかも身体に備わる筋群の脆弱化が複合的に且つ有効に防止される。
【００１６】
また、第１の制御部は、座板を鉛直上向きに予め付勢するように設けられたものであり、第２の制御部は、座板を鉛直下向きに予め付勢するように設けられたものであると好適である。
【００１７】
この場合、座板の前方側及び後方側の部位には、着座前の初期状態において既に、それぞれ鉛直上向きの力及び鉛直下向きの力が印加されている状態なので、着座者が座したときに、座板及び着座者の前傾姿勢を維持するのに必要な筋力すなわち筋群に対する負荷が増大される。よって、上述したような種々の筋群がより鍛錬される。
【００１８】
逆に言えば、筋群に対する負荷として、座板が予め付勢されていない場合と同程度の負荷を得る際に、座板の変位を低減することが可能となる。よって、座板及び第１及び第２の制御部の動作が軽減されるので、耐久性が向上される。
【００１９】
さらに、座板が、着座方向において支持部よりも前方、より好ましくは前方端部に設けられた凸状部を有すると更に好適である。なお、凸状部は明確に‘凸状’を成すものだけでなく、座板からやや盛り上がったような形状のものをも含み、着座者の大腿部の裏側と当接する際に痛感を伴わないものが好ましい。
【００２０】
こうすれば、着座者の大腿部が、その凸状部に当接して支えられるので、上述のように踵を床面につけるように大腿骨を動かして膝間接を下げると、凸状部が鉛直下向きの力の‘作用点’となって座板の前方側が押し下げられる。また、凸状部が大腿骨の動作の‘支点’となり、てこの原理によって股関節が上方に移動する。これらの動きにより、股関節が伸展され、下腿の伸筋群・屈筋群を適度に緊張させ易くなる。
【００２１】
さらに、凸状部に力を集中させることができるので、着座者の筋の緊張に起因して発現される力が座板の広範囲に発散してしまうことが抑えられ、座板の前方側の部位を押し下げ易くなる。
【００２２】
さらにまた、支持部が、座板の幅方向に亘って延在するように設けられたものであると、支持部によって座板の前後方向ひいては着座方向を画定し易くなると共に、座板を挟んでその前後に二つの制御部（第１及び第２の制御部）を効果的に配置させ易くなるので、一層好ましい。
【００２３】
さらに、着座方向において第２の制御部よりも縁端側の保持部上に突設された止定部を備えるとより好適である。
【００２４】
このようにすれば、着座者が腰掛けた当初に、着座方向において支持部よりも後方に重心線が垂下するような状態となって座板が後方に傾動しても、止定部と座板が干渉するので、過度の後傾が防止される。また、これにより、座板の前傾のみが可能となるばかりでなく、着座者の体勢が後傾して不安定になってしまうことも抑止され、着座者が前傾姿勢へ移行し易くなる。
【００２５】
更に具体的には、二つの制御部が、弾性体、及び／又は、シリンダ装置であるものが挙げられる。ここで、弾性体としては、例えば各種ばね、ゴム、等が挙げられ、シリンダ装置としては、例えば、筒状の気圧又は油圧シリンダ若しくはダンパ等が挙げられる。
【００２６】
加えて、支持部は、着座方向における位置が調節可能に設けられたものであると一層好適である。これにより、着座者の体型等に応じて、着座状態における重心位置と、‘支点’として機能する支持部との相対的な配置関係を任意に調節することが可能となる。
【００２７】
また、本発明による椅子は、本発明の着座機構を備えて有効に機能するものであり、上述した本発明による着座機構と、それが設置された脚体とを備える。
【発明を実施するための最良の形態】
【００２８】
以下、本発明の実施形態について詳細に説明する。なお、同一要素には同一の符号を付し、重複する説明を省略する。また、上下左右等の位置関係は、特に断らない限り、図面に示す位置関係に基づくものとする。さらに、図面の寸法比率は、図示の比率に限定されるものではない。【００２９】
図１は、本発明による着座機構及びそれを備える椅子の好適な一実施形態を模式的に示す斜視図である。また、図２及び図３は、それぞれ、図１に示す着座機構及び椅子の正面図及び背面図である。さらに、図４は、図１に示すIV−IV線に沿う断面図である。【００３０】
椅子１０は、着座具１（着座機構）が脚体２上に設置されたものである。着座具１は、主として略矩形を成す板状部材で形成された座板１１と略同形状の板状部材で形成された底板１２（保持部）とを備えている。座板１１と底板１２との間には、底板１２の幅方向に亘って延在するように、断面略台形状を成す支持部１３が介設されている。支持部１３の上端には、座板１１の底壁面が当接している。【００３１】
この支持部１３は、着座方向（図示において支持部１３と水平に直交する方向）における前後位置が任意に調節可能に設けられている。その機構としては、例えば、底板１２上に設けられた既知のギア歯車式の移動レール（図示せず）や、支持部１３が嵌め込まれるように底板１２上に複数形成された嵌合溝（図示せず）等が挙げられる。【００３２】
また、着座方向において支持部１３よりも前方の底板１２の端部（前端部）上には、複数の巻きばね１４（全体として第１の制御部）が、底板１２の縁に沿って固設されている。これらの巻きばね１４は、座板１１が静置された状態において、圧縮された状態で座板１１の底壁面と当接している。なお、巻きばね１４の上方端は、座板１１の底壁面に固定されていてもいなくてもよい。【００３３】
さらに、着座方向において支持部１３よりも後方の底板１２の端部（後端部）上には、複数の巻きばね１５（全体として第２の制御部）が、底板１２の縁に沿って固設されている。これらの巻きばね１５は、座板１１が静置された状態において、拡張された状態で座板１１の底壁面に固定されている。【００３４】
またさらに、巻きばね１５よりも更に後方の底板１２の縁部上には、底板１２の幅方向に亘って延在するように、断面略台形状を成す止定部１７が介設されている。この止定部１７は、高さが支持部１３よりも低くされており、支持部１３上に座板１１が静置された状態において、座板１１は止定部１７から一定の間隔を有して配置される。【００３５】
さらにまた、着座方向における座板１１の前方端部（より具体的には複数の巻きばね１４が設けられている位置）の上面には、緩やかに盛り上がった断面略台形状を成す凸状部１６が、底板１２の幅方向に亘って延在するように突設されている。【００３６】
また、脚体２は、底板１２の底壁面の略中央部に固定された脚受具２１と、周方向に回動可能にその脚受具２１に上方端が接続された伸縮ロッド２３と、その伸縮ロッド２３の他方端が接続された油圧シリンダ２４とを備えている。伸縮ロッド２３の周壁には、例えば上下方向に枢動可能な座高調節レバー２２が設けられており、それを動かすことで油圧シリンダ２４が駆動され、伸縮ロッド２３が伸縮するようになっている。また、油圧シリンダ２４は、複数の脚２５を有する脚座に固定されている。【００３７】
このように構成された着座具１及びそれを備える椅子の作用について、さらに図５を参照して以下詳説する。図５は、本発明による着座機構及びそれを備える椅子の好適な他の一実施形態に人が腰掛けた状態を模式的に示す側面図である。椅子３０は、着座具１の座板１１上面に適宜のクッション材３が付設されたこと以外は、椅子１０と同様に構成されたものである。【００３８】
椅子３０に座る際には、まず、着座者Ｈの身長に合うように、座高調節レバー２２を操作して油圧シリンダ２４によって伸縮ロッド２３の長さを調節する。具体的には、椅子３０の前に起立し、座板１１の鉛直方向レベルが膝窩（膝の裏の皺がある部位）よりも例えば３〜１０ｃｍ程度高くなるように伸縮ロッド２３の長さを調節すると好ましい。また、後述するように、着座して座板１１が略水平状態にあるときに、つま先（ＭＰ関節）が床面に接するように、座板１１の高さを設定することが望ましい。【００３９】
さらに、座板１１の傾動の‘支点’として機能する支持部１３の前後位置を適宜調節する。具体的には、着座者の大転子（大腿骨最上端部）の近傍に支持部１３が位置するように支持部１３の位置を調節すると好ましい。【００４０】
この状態で着座すると、通常、着座者Ｈの重心線が支持部１３よりも後方に垂下する場合、座板１１は後方に傾動するものの、座板１１の後端部が止定部１７と干渉する。これにより、着座者Ｈが腰掛けた際、座板１１は止定部１７で支えられて座面すなわち着座者Ｈの大腿骨が略水平に保たれ、つま先（ＭＰ関節）が床面に接する。この体勢は、骨盤がやや後傾しており比較的安楽な着座状態である。【００４１】
また、この体勢では、通常、大腿骨の遠位端から大腿骨全長の約三分の一の部位が凸状部１６と当接する。そして、この状態から、踵が床面につくように大腿骨を動かすと、大腿骨遠位端に位置する膝関節が下がり、凸状部１６が鉛直下向きの力の‘作用点’となって座板１１の前方端が押し下げられる。同時に、凸状部１６が大腿骨の動作の‘支点’となり、大腿骨近位端に位置する股関節が上方に移動する。これらの動きにより、股関節が解剖学的に伸展される。【００４２】
また、その股関節の伸展により、下腿の伸筋群・屈筋群が適度に緊張すると共に、股関節における大殿筋及びハムストリングス筋の収縮等が生じる。さらに、関節を固定するために、屈筋群の一つである腸腰筋等も収縮する。【００４３】
このようにして座板１１が前傾すると、着座者Ｈの重心が前方に移動し、骨盤は、座板１１が略水平状態にあった当初よりも前傾すると共に、脊柱が伸びて着座者Ｈはやや前傾姿勢で着座した状態となる。なお、着座者Ｈが椅子１０へ座ることに慣れてくれば、着座した初期状態から、このような前傾姿勢をとることができる。【００４４】
ここで、座板１１が前傾した状態では、座板１１の前方端部の下方に設けられた巻きばね１４は、着座者Ｈの荷重による圧縮に反発するように鉛直上向きの力を座板１１の前方端部に印加する。これにより、座板１１は水平状態に復帰するように、ただし、着座者Ｈの荷重と巻きばね１４の反発力との均衡がとれる位置まで押し上げられる。【００４５】
それに加えて、座板１１が前傾した状態では、座板１１の後方端部の下方に設けられた巻きばね１５は、座板１１が引き上げられるのに伴って引き伸ばされ、その引っ張りに抵抗するように鉛直下向きの力を座板１１の後方端部に印加する。そうすると、支持部１３がてこの‘支点’として機能するので、座板１１の前方端部が更に引き上げられる。よって、座板１１は、巻きばね１４の反発力のみによるよりも、水平状態により一層復帰するように動作する。【００４６】
したがって、巻きばね１４の反発力だけでは、着座者Ｈが自身の荷重によってある程度前傾姿勢を維持し得ることができたとしても、巻きばね１５の引張力によって座板１１の前方端部が更に押し上げられる（図示矢印Ｙ参照）ので、着座者Ｈは、その前傾姿勢を保持するために必要な筋肉を一層緊張させる必要がある。【００４７】
すなわち、巻きばね１４の反発力と巻きばね１５による引張力とによって、座板１１が水平方向に強力に復元されるような動作が生じるので、下肢共々全身の筋を弛緩させてしまうと、座板１１が簡易に初期の水平状態に復することとなる。こうなると、骨盤が後傾して当初の安楽な着座状態となってしまう。【００４８】
よって、座板１１の前傾ひいては着座者Ｈの上述した前傾姿勢を保持するためには、下腿の伸筋及び屈筋群（下腿三頭筋）の筋緊張を適度に且つ継続的又は断続的に持続させる必要がある。逆にこのような筋緊張を維持すれば、筋力の脆弱化を防止できると共に、筋ポンプ作用によって静脈血・リンパの還流が促され、下腿の浮腫を防止したり足首を引き締めたりするといった効果が得られる。【００４９】
また、座板１１及び着座者Ｈの前傾姿勢を保持するためには、股関節が内旋・外旋中間位で凸状部に接し易くなるので、特に、股関節の大腿筋膜張筋をはじめとする内旋筋群、及び梨状筋をはじめとする外旋筋群、並びに、股関節の伸筋及び屈筋をも適度に緊張させる必要がある。逆にこのような筋緊張を持続すれば、それらの筋力の発達を促進でき、その結果、股関節に生じ得る障害を有効に予防することができる。【００５０】
さらに、座板１１及び着座者Ｈの前傾姿勢を保持することにより、大腿骨及び脛骨が、人が本来的に有する生理的に適正な状態（生理的ライン）に復するようになるので、膝の外反（Ｘ脚）や内反（Ｏ脚）を矯正するという効果も奏される。【００５１】
またさらに、座板１１及び着座者Ｈの前傾姿勢を保持するためには、股関節を伸展する筋であり且つ坐骨結節に起始するハムストリングス筋（大腿二頭筋、半健半膜様筋）の緊張を適度に且つ継続的又は断続的に持続させる必要がある。逆にこのような筋緊張を維持すれば、股関節の屈筋である大腿四頭筋の適度な緊張も引き起こされる。これにより、大腿の筋萎縮を抑止することができ、もって大腿の抗重力筋の筋力低下を防止することが可能となる。【００５２】
さらにまた、椅子３０に腰掛けた状態で座板１１及び着座者Ｈの前傾姿勢を保持することにより、足を組むことや他の不自然な下肢の肢位をとることが困難となるので、身体の歪みを予防でき、また、身体に生じている歪みを矯正することもできる。【００５３】
また、座板１１及び着座者Ｈの前傾姿勢を保持すれば、骨盤において、股関節伸筋群の大殿筋、外転に関与する中殿筋、内旋及び外転に関与する小殿筋の適度な筋緊張も継続的又は断続的に維持される。こうすれば、これらの筋の萎縮が抑制され、筋力の脆弱化を防止できる。そればかりか、美容的観点に立てばいわゆるヒップアップの効果が奏される。しかも、大殿筋、中殿筋、及び小殿筋の緊張のみならず、骨盤底筋の緊張をも生じるので、着座者Ｈが痔ろうや痔核等を患っていても、それらが座板１１の座面から直接圧迫されることを回避できる。【００５４】
さらに、座板１１及び着座者Ｈの前傾姿勢を保持しようとすると、体幹後部の起立筋群、体幹前部の腹筋群、及び、脊柱から小転子に走行する腸腰筋群の互いに協調した筋緊張によって腸骨がやや前傾に保たれ、脊柱が自然な立位姿勢のように伸展する。これらにより、抗重力筋のなかでも重要な筋の一つである腸腰筋の筋力低下を防止することができる。その結果、腰椎の後彎、前彎、側彎等に起因する腰痛の予防が可能となる。また、壮年期及び老年期においては、このような抗重力筋の脆弱化を予防することにより、寝たきり症状の発生を有効に抑止することが可能となる。【００５５】
また、このように脊柱の生理的に適正な状態（生理的ライン）が生成されると、胸部において猫背を予防し且つ呼吸運動を楽にするような作用が生じる。加えて、
不自然な肩の緊張や頸部の前屈・後屈が抑制されるので、肩こりや頸のこりを予防することができる。さらに、生理的ラインが形成される姿勢は、眼の無駄な近点調節を防止でき、これにより、仮性近視や眼精疲労の予防に資することができる。またさらに、美容的な観点からは、バストアップの効果が得られる。【００５６】
さらにまた、腹筋の適度な緊張は、筋力低下に伴う内臓下垂等の障害の発生の予防にも寄与することができる。さらに、美容的観点からすれば、ウエストを引き締める効果も得られる。【００５７】
よって、着座具１及びそれを備える椅子１０，３０によれば、以上説明したような種々の効果を複合的に奏することができるので、身体に生じ得る様々な歪みや種々の障害を、従来よりも効果的且つ総合的に、しかも簡便に予防及び矯正することが可能となる。【００５８】
また、巻きばね１４が、座板１１が静置された状態において、圧縮された状態で座板１１の底壁面と当接しているので、座板１１の前方側の部位が鉛直上向きに予め付勢されている。よって、座板１１が略水平状態へ一層復するようになるので、着座者Ｈが前傾姿勢を維持するのに必要な筋群に対する負荷が増大され、その結果、上述した種々の効果が高められる。【００５９】
さらに、巻きばね１５が、座板１１が静置された状態において、拡張された状態で座板１１の底壁面に固定されているので、座板１１の後方側の部位が鉛直下向きに予め付勢されている。よって、座板１１が略水平状態へ更に一層復するようになるので、着座者Ｈが前傾姿勢を維持するのに必要な筋群に対する負荷が更に増大され、その結果、上述した種々の効果がより一層高められる。【００６０】
また、巻きばね１４，１５がこのように座板１１を予め付勢するように設けられているので、座板１１がそのように付勢されていない場合に比して少ない変位で着座者Ｈに対して同等の筋力負荷を与えることができる。よって、座板１１及び巻きばね１４，１５の動作が軽減されるので、繰り返し使用したときの耐久性を向上できる。【００６１】
なお、本発明は上述した実施形態に限定されるものではなく、その要旨を変更しない限度において様々な変形が可能である。例えば、巻きばね１４，１５に替えて他のばね、ゴム等の弾性体を用いてもよく、或いは、筒状の気圧又は油圧シリンダ若しくはダンパ等のシリンダ装置を用いてもよい。さらに、巻きばね１４，１５及びその他の第１の制御部及び第２の制御部は、例えば連結されて一体に形成されていてもよい。またさらに、巻きばね１４，１５の員数及び配置も図示に限定されず、複数のものをユニット化してもよく、更に予め座板１１を付勢していなくても構わない。【００６２】
さらにまた、巻きばね１４，１５のばね定数、すなわちこれらが発現する抗力は、着座者Ｈの体重、体型、筋力等に応じて適宜調節することができる。特に、後方側に配置された巻きばね１５を調節できるようにすると好ましい。この場合、巻きばね１４，１５を底板１２及び／又は座板１１に対して着脱自在に設けると交換が容易となり保守性が向上される。また、底板１２を設けずに、巻きばね１４，１５の一方端を脚体２に固定してもよい。この場合、脚体２が保持体として機能する。こうすれば、部材点数を低減できると共に、保守性を一層向上させることができる。【００６３】
さらに、背もたれ、手すり、肘掛等を設けてもよい。またさらに、凸状部１６は設けなくてもよいが、設けた方が好ましく、また、一体に延在していなくいともよく、例えば、左右の大腿部のそれぞれが当接する位置に二分して設けてもよい。加えて、座板１１を円形として椅子１０，３０を円形椅子としても構わない。
【産業上の利用可能性】
【００６４】
本発明による着座機構及びそれを備える椅子は、上述した支持部と二つの制御部を備えることにより、身体に生じ得る様々な歪みや種々の障害を、従来よりも効果的且つ総合的にしかも簡便に予防及び矯正することが可能なので、身体の治療及び美容に広く利用することができる。
【図面の簡単な説明】
【００６５】
【図１】本発明による着座機構及びそれを備える椅子の好適な一実施形態を模式的に示す斜視図である。
【図２】図１に示す着座機構及び椅子の正面図である。
【図３】図１に示す着座機構及び椅子の背面図である。
【図４】図１に示すIV−IV線に沿う断面図である。
【図５】本発明による着座機構及びそれを備える椅子の好適な他の一実施形態に人が腰掛けた状態を模式的に示す側面図である。
【図１】
2006027822.tif 000002
【図２】
2006027822.tif 000003
【図３】
2006027822.tif 000004
【図４】
2006027822.tif 000005
【図５】
2006027822.tif 000006
【国際調査報告】
2006027822.tif 000007
2006027822.tif 000008
2006027822.tif 000009
2006027822.tif 000010